(57)【要約】【課題】部品精度や組付精度に由来する調整誤差や乱れに対応可能で精密な微調整が可能となる対物レンズアクチュエータを提供する。【解決手段】ベース１と、該ベースに対して変位自在に支持され非磁性体からなるレンズホルダ２と、該レンズホルダに装着される対物レンズ４とを備え、少なくともフォーカスコイルとトラッキングコイルを有するコイル部を前記レンズホルダ２に設け、このコイル部に磁界を印加する磁界発生部３を前記ベース側に設け、前記コイル部と前記磁界発生部との電磁力作用によって前記対物レンズを所定位置に移動して、光ディスクにレーザー光を照射してデータの記録又は再生を行う光ピックアップ装置の対物レンズアクチュエータにおいて、前記磁界発生部３をコイルを用いた可変磁界発生部３１、３２とした。【選択図】図１
2011003229.tif 000002
【特許請求の範囲】
【請求項１】
ベースと、対物レンズを保持し前記ベースに対して変位自在に支持され非磁性体からなるレンズホルダと、該レンズホルダに固着され少なくともフォーカスコイルとトラッキングコイルを有するコイル部と、前記ベースに立設され前記レンズホルダを挟んで対向配置され前記コイル部に磁界を印加する磁界発生部とを備え、前記コイル部と前記磁界発生部との電磁力作用によって前記対物レンズを所定位置に移動する対物レンズアクチュエータにおいて、
前記磁界発生部をコイルを用いた可変磁界発生部としたことを特徴とする対物レンズアクチュエータ。
【請求項２】
前記可変磁界発生部を、前記ベースから立設すると共に前記レンズホルダを挟むように対向配置される一対のヨークにそれぞれコイルを接着固定した構成としたことを特徴とする請求項１に記載の対物レンズアクチュエータ。
【請求項３】
前記可変磁界発生部が、予め規定される基本磁界を発生すると共に、該基本磁界を印加した状態で前記対物レンズの位置が所望される位置にないときに、印加する磁界を変更して磁界制御することを特徴とする請求項１または２に記載の対物レンズアクチュエータ。
【請求項４】
前記コイル部が前記レンズホルダの傾きを調整するチルトコイルをさらに有することを特徴とする請求項１から３のいずれかに記載の対物レンズアクチュエータ。
【発明の詳細な説明】
【技術分野】
【０００１】
本発明は、光ディスクにレーザー光を照射してデータの記録又は再生を行う光ピックアップ装置の対物レンズアクチュエータに関する。
【背景技術】
【０００２】
従来、円盤状記憶媒体として、ＣＤ（コンパクトディスク）やＤＶＤ（デジタル多用途ディスク）やＨＤ−ＤＶＤ（高密度ＤＶＤ）やブルーレイディスクなどの、多種類の光ディスクが実用化されている。このような多種類の光ディスクにおいては、使用するレーザー光の波長、記録面までの透明層の深さなどが異なることから、１個の対物レンズを用いて複数種類の光ディスクに対応させているものがある。また、レーザー光をディスクに形成された記録面に正確に照射するために、フォーカス方向とトラッキング方向に光学スポットを変位させる補正を行う。
【０００３】
このようなフォーカス方向の補正がフォーカシング調整であり、トラッキング方向の補正がトラッキング調整であって、対物レンズ駆動装置（対物レンズアクチュエータ）を介してこれらのフォーカシング調整とトラッキング調整を行っている。なお、フォーカス方向とは、対物レンズの光軸方向と平行な方向であり、トラッキング方向とは、光ディスクの半径方向と平行な方向である。
【０００４】
図３を用いて従来の対物レンズアクチュエータの一例について説明する。
【０００５】
従来の対物レンズアクチュエータＴＡ１は図３（ａ）に示す全体構成の概略斜視図、および図３（ｂ）の分解斜視図に示すように、強磁性を有する金属からなるベース１の中央部に光ビームを通過させる貫通孔１ａを形成し、この貫通孔１ａの上部に、対物レンズ４を支持する樹脂製のレンズホルダ２を配設している。また、ベース１には、レンズホルダ２を挟むように所定間隔をあけて対向配置される磁界発生部材として一対の永久磁石３ａ、３ｂが配設されている。この永久磁石３ａ、３ｂは、それぞれの外面がベース１から折曲形成されたヨーク１ｂ、１ｃに磁着している。
【０００６】
レンズホルダ２には、光ビームが通過できるように光路孔が形成されている。そして、この光路孔の上部側には対物レンズ４を保持する対物レンズ保持部２ａが形成されている。レンズホルダ２の内側の側壁には、レンズホルダ２に保持される対物レンズ４の光軸を取り巻くようにフォーカスコイル５が設けられ、レンズホルダ２に対して接着剤等で固着されている。
【０００７】
また、レンズホルダ２の側壁のうち、永久磁石３ａ、３ｂと対向する両側壁の外側には、それぞれ左右に一対ずつ並ぶようにトラッキングコイル６ａ、６ｂ及びトラッキングコイル６ｃ、６ｄが設けられている。また、トラッキングコイル６ａ及びトラッキングコイル６ｃ、並びに、トラッキングコイル６ｂ及びトラッキングコイル６ｄは、それぞれ対称位置に配置されている。トラッキングコイル６ａ〜６ｄは、レンズホルダ２に対して接着剤等で固着されている。なお、４つのトラッキングコイル６ａ〜６ｄは、全体として１本の線で繋がっている。
【０００８】
ベース１上には、一方の永久磁石（例えば永久磁石３ｂ）が磁着されたヨーク１ｃの外面側に、ポリカーボネート等の樹脂成型品から成るゲルボックス７が固定される。また、ベース１上には、ゲルボックス７の外側に隣接して回路基板８が立設されている。
【０００９】
この回路基板８には、左右両側において、それぞれ上下方向に複数、例えば、３箇所ずつ、導電性を有するワイヤ９ａ、９ｂ、９ｃ、９ｄ、９ｅ、９ｆの各一端がハンダ付けにて接続されている。ワイヤ９ａ〜９ｃ及びワイヤ９ｄ〜９ｆは、それぞれゲルボックス７に形成された挿通孔１０ａ、１０ｂを挿通している。
【００１０】
ワイヤ９ａ〜９ｃの他端は、レンズホルダ２の側壁に設けられる中継基板１１ａに半田付けにて固着されている。また、ワイヤ９ｄ〜９ｆの他端は、レンズホルダ２の側壁に設けられる中継基板１１ｂにハンダ付けにて固着されている。そして、これにより、レンズホルダ２は、ワイヤ９ａ〜９ｆによってベース１に対して揺動可能に支持された状態となっている。
【００１１】
なお、中継基板１１ａ、１１ｂには、配線パターンが形成されており、ワイヤ９ａ及びワイヤ９ｄは、中継基板１１ａ、１１ｂを介してフォーカスコイル５と電気的に接続された状態となっている。また、ワイヤ９ｃ及びワイヤ９ｆは、中継基板１１ａ、１１ｂを介してトラッキングコイル６ａ〜６ｄと電気的に接続された状態となっている。
【００１２】
また、ゲルボックス７の各挿通孔１０ａ、１０ｂ内には、シリコンを主成分とするゲル材が充填されている。ここでゲル材は、低粘度のゲル材（ゾル状）がゲルボックス７の各挿通孔１０ａ、１０ｂに注入された後、所定時間の紫外線照射によってゲル状に硬化したものである。
【００１３】
このように構成される対物レンズアクチュエータＴＡ１の作用について簡単に説明する。回路基板８からワイヤ９ａ、９ｄを通じてフォーカスコイル５に電流が供給されると、永久磁石３ａ、３ｂによって形成される磁界との電磁気的な作用により、レンズホルダ２はフォーカス方向に変位可能となる。このため、フォーカスコイル５に供給する電流の大きさ及び向きを調整することでフォーカシング調整が可能となる。
【００１４】
また、回路基板８からワイヤ９ｃ、９ｆを通じてトラッキングコイル６ａ〜６ｄに電流が供給されると、永久磁石３ａ、３ｂによって形成される磁界との電磁気的な作用により、レンズホルダ２は、トラッキング方向に変位可能となる。このため、トラッキングコイル６ａ〜６ｄに供給する電流の大きさ及び向きを調整することでトラッキング調整が可能となる。
【００１５】
従来の対物レンズアクチュエータＴＡ１は以上のように構成されるが、次に、このようなワイヤ支持方式の対物レンズアクチュエータの周波数特性について説明する。対物レンズアクチュエータＴＡ１は１次共振周波数で応答変位が非常に大きくなる。しかし、このオーバシュート量が大きすぎると不都合が生じる。このため、従来の対物レンズアクチュエータＴＡ１においては、ゲルボックス７にゲル材（減衰材）を充填して、このオーバシュート量を低減（１次共振を抑制）している。
【００１６】
また、１次共振周波数より高い周波数において応答変位が乱れる部分がある。これは、ワイヤの長手方向への振動が原因となって、ピッチング共振及びヨーイング共振を発生することによる。なお、ピッチング共振とは、トラッキング方向と平行な軸周り方向に発生する共振モードである。また、ヨーイング共振とは、フォーカス方向と平行な軸周り方向に発生する共振モードである。
【００１７】
光学スポットを光ディスクの記録部位に正確に位置させるためには、これらの共振モードを抑制する所謂対物レンズの傾き調整を行うことが肝要となる。そのために、フォーカスコイルとトラッキングコイルに加えてチルトコイルを設けて、これらを永久磁石を介して姿勢制御する光ピックアップの対物レンズ駆動装置（例えば、特許文献１参照）や、４個の永久磁石とフォーカスコイルとトラッキングコイルとを備え、それぞれのコイルに流す電流の方向を切り替えて、レンズホルダを、フォーカシング方向、ラジアルチルト方向、およびタンジェンシャルチルト方向に駆動する対物レンズ駆動装置（例えば、特許文献２参照）が既に出願されている。
【先行技術文献】
【特許文献】
【００１８】
【特許文献１】特開２００２−９２９１６号公報
【特許文献２】特開２０００−１９５０７８号公報
【発明の概要】
【発明が解決しようとする課題】
【００１９】
フォーカスコイルやトラッキングコイルやチルトコイルなどのコイルと、永久磁石によって形成される磁界との電磁気作用により、レンズホルダの変位、即ち、対物レンズの位置や傾きを調整することは可能であって、フォーカスコイルあるいはトラッキングコイルなどの各コイルに供給する電流の大きさと向きを調整することで、フォーカシング調整やトラッキング調整や傾き調整を行うことができる。
【００２０】
しかし、所定の磁界を発揮する永久磁石とコイルとの電磁気作用を利用してレンズホルダの変位を調整する方法では、各部を構成する部品の精度や組付精度に由来する微妙な調整誤差や乱れが生じることがある。そのために、所定の磁界を発揮する永久磁石とコイルとの電磁気作用だけでは、さらに精密な微調整が求められる詳細制御を行うことは困難であって、更なる駆動性能の向上を図ることができないという問題を生じる。
【００２１】
そのために、構成する部品の精度や組付精度に由来する微妙な調整誤差や乱れにも対応可能な対物レンズアクチュエータが求められる。
【００２２】
本発明は、上記問題点に鑑み、部品精度や組付精度に由来する調整誤差や乱れに対応可能で精密な微調整が可能となる対物レンズアクチュエータを提供することを目的とする。
【課題を解決するための手段】
【００２３】
上記目的を達成するために本発明は、ベースと、対物レンズを保持し前記ベースに対して変位自在に支持され非磁性体からなるレンズホルダと、該レンズホルダに固着され少なくともフォーカスコイルとトラッキングコイルを有するコイル部と、前記ベースに立設され前記レンズホルダを挟んで対向配置され前記コイル部に磁界を印加する磁界発生部とを備え、前記コイル部と前記磁界発生部との電磁力作用によって前記対物レンズを所定位置に移動する対物レンズアクチュエータにおいて、前記磁界発生部をコイルを用いた可変磁界発生部としたことを特徴としている。
【００２４】
この構成によると、変位部であるレンズホルダのフォーカスコイルとトラッキングコイルに印加する磁界が変更可能な構成となるので、対物レンズのフォーカシング方向とトラッキング方向の変位をさらに微調整可能な対物レンズアクチュエータとなる。
【００２５】
また本発明は、上記構成の対物レンズアクチュエータにおいて、前記可変磁界発生部を、前記ベースから立設すると共に前記レンズホルダを挟むように対向配置される一対のヨークにそれぞれコイルを固着した構成としたことを特徴としている。この構成によると、ヨークにコイルを固着した一対の可変磁界発生部間にレンズホルダを配置するので、レンズホルダに装着する各コイルに安定して磁界を印加することができる。また、印加する磁界の強さを変えて、レンズホルダの変位量を調整可能な構成となる。
【００２６】
また本発明は、上記構成の対物レンズアクチュエータにおいて、前記磁界発生部が、予め規定される基本磁界を発生すると共に、該基本磁界を印加した状態で前記対物レンズの位置が所望される位置にないときに、印加する磁界を変更して磁界制御することを特徴としている。この構成によると、通常は一定の磁界を発生して必要に応じて磁界を変更する制御を行うので、容易な制御となる。また、対物レンズの微妙な位置ずれにも対応可能となるので、部品精度や組付精度に由来する調整誤差や乱れに対応可能で精密な微調整が可能となる。
【００２７】
また本発明は、上記構成の対物レンズアクチュエータにおいて、前記コイル部が前記レンズホルダの傾きを調整するチルトコイルをさらに有することを特徴としている。この構成によると、フォーカシング調整およびトラッキング調整に加えて対物レンズの傾きも微調整することができるので、調整可能領域が拡大して調整範囲に余裕がある対物レンズアクチュエータとなる。
【発明の効果】
【００２８】
本発明によれば、光ディスクにレーザー光を照射してデータの記録又は再生を行う光ピックアップ装置の対物レンズアクチュエータにおいて、レンズホルダに設けるフォーカスコイルとトラッキングコイルを有するコイル部に磁界を印加する磁界発生部を、コイルを用いた可変磁界発生部としたので、変位部であるレンズホルダのフォーカスコイルとトラッキングコイルに印加する磁界を変更可能な構成となって、対物レンズのフォーカシング方向とトラッキング方向の変位をさらに微調整可能な対物レンズアクチュエータを得ることができる。
【図面の簡単な説明】
【００２９】
【図１】本発明に係る対物レンズアクチュエータの要部構成を示す概略斜視図である。
【図２】本発明に係る対物レンズアクチュエータの一例の全体構成を示し、（ａ）は全体構成の概略斜視図であり、（ｂ）は概略側面図である。
【図３】従来の対物レンズアクチュエータの一例の全体構成を示し、（ａ）は全体構成の概略斜視図であり、（ｂ）は分解斜視図である。
【発明を実施するための形態】
【００３０】
以下に本発明の実施形態を図面を参照して説明する。また、同一構成部材については同一の符号を用い、詳細な説明は適宜省略する。
【００３１】
本実施形態の対物レンズアクチュエータＴＡは、光ディスクにレーザー光を照射してデータの記録又は再生を行う光ピックアップ装置に用いられる対物レンズ４を変位させる駆動装置であって、図１に示すように、強磁性を有する金属からなるベース１と、該ベース１に対して変位自在に支持され非磁性体からなるレンズホルダ２と、該レンズホルダ２に装着される対物レンズ４とを備えている。
【００３２】
また、複数の導電性ワイヤを介して揺動自在に支持されているワイヤ支持型のアクチュエータであって、可動部となるレンズホルダ２側に、少なくともフォーカスコイル５とトラッキングコイル６（６ａ〜６ｄ）を有するコイル部を設け、該コイル部に磁界を印加する磁界発生部３（３１、３２）を固定部となるベース１側に設けている。そのために、所定電圧の電力をコイル部に印加することで、このコイル部と磁界発生部３（３１、３２）との電磁力作用によって対物レンズ４を所定量変位させることができる。
【００３３】
また、本実施形態においては、磁界発生部３をコイルを用いた可変磁界発生部３１、３２としている。磁界発生部３（３１、３２）は、フォーカスコイル５やトラッキングコイル６（６ａ〜６ｄ）などのコイル部に磁界を印加するので、それぞれのコイルに供給する電流の大きさと向きを調整することで、フォーカシング調整やトラッキング調整や傾き調整を行うことができる。
【００３４】
この際に、磁界発生部３が永久磁石であれば、コイル部に印加される磁界は一定であるので、各コイルに供給する電流の大きさの調整範囲内でフォーカシング調整やトラッキング調整や傾き調整を行うことができる。しかし、各部を構成する部品の精度や組付精度に由来する微妙な調整誤差や乱れが生じることがあり、所定の磁界を発揮する永久磁石とコイルとの電磁力作用だけでは、さらに精密な微調整が求められる詳細制御を行うことは困難となる。
【００３５】
そのため本実施形態のように、磁界発生部３がコイルを用いた可変磁界発生部３１、３２であれば、変位部であるレンズホルダ２のフォーカスコイル５とトラッキングコイル６に印加する磁界の大きさを調整可能な構成となって、対物レンズのフォーカシング方向とトラッキング方向の変位をさらに大きくし、また、微調整することが可能となる。
【００３６】
例えば、ヨーク１ｂにコイルからなる可変磁界発生部３１を接着などによって固着し、ヨーク１ｃにコイルからなる可変磁界発生部３２を接着などによって固着して、それぞれのコイルに所定の大きさの電流を供給することで、所定の磁界をフォーカスコイル５とトラッキングコイル６に印加することができる。また、それぞれのコイルを巻き付ける鉄心状部を備えるヨーク形状として、さらに磁束密度を高める構成としてもよい。
【００３７】
フォーカスコイル５やトラッキングコイル６などの各コイル部に磁界を印加する磁界発生部をコイルからなる可変磁界発生部３１、３２としたので、可変磁界発生部３１、３２に予め規定される基本磁界を発生させる電流を供給することで、可変磁界発生部３１、３２が予め規定される基本磁界を発生する。また、基本磁界を印加した状態で対物レンズ４の位置が所望される位置にないときに、供給する電流を調整して、フォーカスコイル５とトラッキングコイル６に印加する磁界の大きさを調整して磁界制御することができる。この構成であれば、通常は一定大きさの磁界を発生して必要に応じて磁界の大きさを調整する制御を行うので、容易な制御となる。また、対物レンズ４の微妙な位置ずれにも対応可能となるので、部品精度や組付精度に由来する調整誤差や乱れに対応可能で精密な微調整が可能となる。
【００３８】
上記したように、磁界発生部３がコイルを用いた電磁石式の可変磁界発生部３１、３２であれば、部品精度や組付精度に由来する調整誤差や乱れに対応可能で精密な微調整が可能な対物レンズアクチュエータＴＡとなって好ましい。また、そのために、精度の追い込みに対する開発負担を抑制可能となる。
【００３９】
次に、対物レンズアクチュエータＴＡの全体構成について図２を用いてさらに詳細に説明する。
【００４０】
本実施形態の対物レンズアクチュエータＴＡは、磁界発生部３をコイルを用いた可変磁界発生部３１、３２としたこと以外は、図３に示した従来の対物レンズアクチュエータＴＡ１と同様でよい。そのために、同様の構成部品については同一の符号を付して説明する。また、高周波領域で生じる共振を抑制する減衰材を用いる構成としてもよく、弾性を有するワイヤ９ａ〜９ｆに起因する高周波領域で生じる共振を抑制する減衰材を備えた対物レンズアクチュエータＴＡとした本実施形態について以下説明する。
【００４１】
図２（ａ）に示すように、本実施形態に係る対物レンズアクチュエータＴＡは、前述した従来の対物レンズアクチュエータＴＡ１と同様に、強磁性を有する金属からなるベース１の中央部に光ビームを通過させる貫通孔１ａ（図３（ｂ）参照）を形成し、この貫通孔１ａの上部に、対物レンズ４を支持するレンズホルダ２を配設している。
【００４２】
レンズホルダ２は、弾性を有する導電性材料からなるワイヤ９ａ〜９ｆ（図３（ｂ）参照）によってベース１に対して揺動可能に支持された状態となっており、フォーカスコイル５とトラッキングコイル６（６ａ〜６ｄ）が組みつけられている。また、ワイヤ９ａ〜９ｃの他端は、レンズホルダ２の側壁に設けられる中継基板１３ａに半田付けにて固着され、ワイヤ９ｄ〜９ｆの他端は、レンズホルダ２の側壁に設けられる中継基板１３ｂにハンダ付けにて固着されている。
【００４３】
１５ａ、１５ｂは減衰材保持部であって、レンズホルダ２の側壁部から突出する略コの字状の枠体の空洞部１６ａ、１６ｂにそれぞれ減衰材１８を充填している。また、中継基板１３ａ、１３ｂにスリット１４を設けて、弾性を有するワイヤ９ａ〜９ｆに起因する共振を、それぞれのワイヤ毎に効果的に抑制する構成としている。
【００４４】
また、ゲルボックス７の各挿通孔１０ａ、１０ｂ内に、シリコンを主成分とするゲル材を充填して、ゲルボックス７の外側に配設している回路基板８にワイヤ９ａ〜９ｆを接続している。
【００４５】
例えば、図２（ｂ）に示すように、ゲル材からなる減衰材１７を充填することで、レンズホルダ２の駆動時に１次共振周波数で大きくなる応答変位を抑制する（１次共振を抑制する）ことができる。また、スリット１４を備える中継基板１３ａ、１３ｂと、減衰材１８を充填した減衰材保持部１５ａ、１５ｂを備える構成とすることで、１次共振周波数よりも高い周波数の高周波領域で生じるピッチング共振やヨーイング共振を効果的に抑制することができる。
【００４６】
フォーカスコイル５は、レンズホルダ２の内側の側壁に、このレンズホルダ２に保持される対物レンズ４の光軸を取り巻くように略矩形状に巻回され、接着剤等で固着されている。また、トラッキングコイル６（６ａ〜６ｄ）は、それぞれ略矩形状に巻回され、磁界発生部３（３１、３２）に対向する二箇所のレンズホルダ２の側壁のそれぞれにおいて、その左右に隔離して一個ずつ設けられ、トラッキングコイル６ａと６ｃ、および、トラッキングコイル６ｂと６ｄとが、レンズホルダ２を挟んで対向する位置に配置され、接着剤等で固着されている。これら四個のトラッキングコイル６（６ａ〜６ｄ）は、全体として１本の線で繋がっている。また、このフォーカスコイル５、および、トラッキングコイル６（６ａ〜６ｄ）には、回路基板８から中継基板１３ａ、１３ｂを介して電流が供給される。
【００４７】
ここで、磁界発生部３として、コイルを用いた可変磁界発生部３１、３２を用いる構成とし、例えば、ベース１から折曲形成されたヨーク１ｂ、１ｃに、相対向する方向に磁界を発生させる形状に巻回されたコイルを取り付ける（例えば、接着固定する）構成とする。また、それぞれのコイルは、それぞれが回路基板８に接続され、所定の電流が供給されている。
【００４８】
ベース１は強磁性を有するので、ベース１から折曲形成されたヨーク１ｂ、１ｃも強磁性を有する。つまり、可変磁界発生部３１、３２は、ベース１から立設すると共に前記レンズホルダを挟むように対向配置される強磁性を有する一対のヨークにそれぞれコイルを接着固定した構成となる。
【００４９】
上記の構成であれば、各ヨーク１ｂ、１ｃが磁束を安定化させ高密度とし、対向する可変磁界発生部３１、３２の間に配置されるフォーカスコイル５とトラッキングコイル６（６ａ〜６ｄ）に磁束を印加して、それぞれのコイルに供給される電流に応じた電磁力を作用させることができる。また、これにより、フォーカスコイル５に供給される電流に応じた電磁力作用により、レンズホルダ２がフォーカス方向に変位可能となり、トラッキングコイル６（６ａ〜６ｄ）に供給される電流に応じた電磁力作用により、トラッキング方向に変位可能となる。
【００５０】
また、磁界発生部３（３１、３２）に予め規定される基本磁界を発生させる電流を供給し、基本となる電磁力をフォーカスコイル５とトラッキングコイル６（６ａ〜６ｄ）に作用させるようにしている。
【００５１】
この基本磁界を発生している状態が、従来の永久磁石を介装した状態と同等な状態であって、この状態を維持して、フォーカスコイル５とトラッキングコイル６（６ａ〜６ｄ）のそれぞれのコイルに供給する電流を制御して、対物レンズ４の位置を調整する。
【００５２】
しかし、対物レンズアクチュエータＴＡを構成する各部品の部品精度や組付精度に由来する調整誤差や乱れによって、対物レンズ４が所望される位置に到達しない状態、つまり、調整領域が不十分となる場合がある。この場合には、磁界発生部３（３１、３２）に供給する電流を変更して、フォーカスコイル５やトラッキングコイル６（６ａ〜６ｄ）に印加する磁界の強さを調整可能としている。
【００５３】
上記の構成であれば、フォーカスコイル５やトラッキングコイル６（６ａ〜６ｄ）に印加する磁界の強さを変化してレンズホルダ２の変位量を調整可能となって、対物レンズ４の調整領域が大きくなるので好ましい。また、通常は一定の基本磁界を発生して必要に応じて磁界を変更する制御を行う簡単な制御で、部品精度や組付精度に由来する調整誤差や乱れに対応可能で精密な微調整が可能となり、対物レンズの微妙な位置ずれにも対応可能となって好ましい。
【００５４】
また、フォーカスコイル５およびトラッキングコイル６（６ａ〜６ｄ）に加えて前記レンズホルダ２の傾きを調整するチルトコイル（不図示）を設ける構成にすると、フォーカシング調整およびトラッキング調整に加えて対物レンズの傾きも微調整可能となり、調整可能領域がさらに拡大するので、対物レンズの調整範囲にさらに余裕がある対物レンズアクチュエータとなって好ましい。
【００５５】
以上、複数のワイヤを用いて支持するワイヤ支持型のタイプに可変磁界発生部を装着した対物レンズアクチュエータについて説明してきたが、本発明に係る可変磁界発生部は、軸摺動型の対物レンズアクチュエータに装着してもよい。軸摺動型の対物レンズアクチュエータであっても、可変磁界発生部を用いることで、対物レンズの調整領域を大きくすることができ、部品精度や組付精度に由来する調整誤差や乱れに対応可能となる。
【００５６】
上記したように、本発明に係る対物レンズアクチュエータによれば、レンズホルダ側に設けるコイル部とベース側に設ける磁界発生部との電磁力作用により対物レンズを移動する光ピックアップ装置の対物レンズアクチュエータにおいて、前記磁界発生部をコイルを用いた可変磁界発生部としたので、変位部であるレンズホルダのフォーカスコイルとトラッキングコイルに印加する磁界が変更可能な構成となって、対物レンズのフォーカシング方向とトラッキング方向の変位をさらに微調整可能な対物レンズアクチュエータを得ることができる。
【００５７】
さらに、前記磁界発生部が、予め規定される基本磁界を発生すると共に、該基本磁界を印加した状態で前記対物レンズの位置が所望される位置にないときに、印加する磁界を変更して磁界制御することで、通常は一定の基本磁界を発生して必要に応じて磁界を変更する制御を行う簡単な制御で、部品精度や組付精度に由来する調整誤差や乱れに対応可能で精密な微調整が可能となり、対物レンズの微妙な位置ずれにも対応可能となる。このように、本発明によれば、対物レンズの調整領域が大きくなって好ましい。
【産業上の利用可能性】
【００５８】
そのために、本発明に係る対物レンズアクチュエータは、対物レンズの調整領域が大きくなって、部品精度や組付精度を上げることなく、対物レンズを安定して動作させることができ、１個の対物レンズを用いて複数種類の光ディスクに対応して、データの記録又は再生を行う光ピックアップ装置の対物レンズアクチュエータに好適に適用することができる。
【符号の説明】
【００５９】
１    ベース
２    レンズホルダ
３    磁界発生部
３１    可変磁界発生部
３２    可変磁界発生部
４    対物レンズ
５    フォーカスコイル
６    トラッキングコイル
ＴＡ    対物レンズアクチュエータ（本発明に係る）
ＴＡ１    対物レンズアクチュエータ（従来の）
【図１】
2011003229.tif 000003
【図２】
2011003229.tif 000004
【図３】
2011003229.tif 000005